(57)【要約】【課題】透過型スクリーンの初期的な湾曲を補正でき、かつ透過型スクリーンの物理的変形を回避でき、投影画像を良好に表示できるリアプロジェクタを提供する。【解決手段】リアプロジェクタ１は、プロジェクタユニット３と、キャビネット２と、透過型スクリーン６とを備える。キャビネット２の開口部２１周縁部分には、透過型スクリーン６の外縁部の少なくとも一部を挟むように外縁部の前面側および背面側にそれぞれ対向配置される第１支持部７１および押さえ金具７２と、第１支持部７１および透過型スクリーン６の間と押さえ金具７２および透過型スクリーン６の間とにそれぞれ介在配置される第１シール部材７３および第２シール部材７４とが設けられる。第１シール部材７３および第２シール部材７４は、透過型スクリーン６を側方から見た場合に、透過型スクリーン６の上下方向に互いにずれた位置にそれぞれ配置される。【選択図】図１
2007102171.tif 000002
【特許請求の範囲】
【請求項１】
光源から射出された光束を画像情報に応じて変調して画像光を形成し前記画像光を拡大投射する画像投射装置と、前記画像投射装置を収納する箱形状を有し前面側に開口部が形成された外装筺体と、前記開口部を介して露出し背面側から投射された前記画像光を前面側に投影する透過型スクリーンとを備えたリアプロジェクタであって、
前記外装筺体の前記開口部周縁部分には、前記透過型スクリーンの外縁部の少なくとも一部を挟むように前記外縁部の前面側および背面側にそれぞれ対向配置される第１支持部および第２支持部と、前記第１支持部および前記透過型スクリーンの間に介在配置され前記透過型スクリーンの前面側に当接する第１当接部と、前記第２支持部および前記透過型スクリーンの間に介在配置され前記透過型スクリーンの背面側に当接する第２当接部とが設けられ、
前記第１当接部および前記第２当接部は、当該リアプロジェクタを組み立てた状態で前記透過型スクリーンを側方から見た場合に、前記透過型スクリーンの上下方向に互いにずれた位置にそれぞれ配置されていることを特徴とするリアプロジェクタ。
【請求項２】
請求項１に記載のリアプロジェクタにおいて、
前記第１当接部は、当該リアプロジェクタを組み立てた状態で前記透過型スクリーンを側方から見た場合に、前記第２当接部に対して、前記透過型スクリーンの上下方向略中心部分から離間する側に配置されていることを特徴とするリアプロジェクタ。
【請求項３】
請求項２に記載のリアプロジェクタにおいて、
前記透過型スクリーンは、該透過型スクリーンを側方から見た場合に上下方向略中央部分が上下方向両端部に対して背面側にずれ前記背面側に凸となる円弧形状を有するように形成されていることを特徴とするリアプロジェクタ。
【請求項４】
請求項１に記載のリアプロジェクタにおいて、
前記第１当接部は、当該リアプロジェクタを組み立てた状態で前記透過型スクリーンを側方から見た場合に、前記第２当接部に対して、前記透過型スクリーンの上下方向略中心位置に近接する側に配置されていることを特徴とするリアプロジェクタ。
【請求項５】
請求項４に記載のリアプロジェクタにおいて、
前記透過型スクリーンは、該透過型スクリーンを側方から見た場合に上下方向略中央部分が上下方向両端部に対して前面側にずれ前記前面側に凸となる円弧形状を有するように形成されていることを特徴とするリアプロジェクタ。
【発明の詳細な説明】
【技術分野】
【０００１】
本発明は、リアプロジェクタに関する。
【背景技術】
【０００２】
従来、大型画面を有する表示装置として、スクリーン上に画像光を拡大投射して表示するリアプロジェクタが知られている（例えば、特許文献１参照）。
特許文献１に記載のリアプロジェクタは、その前面側に開口部が形成されたキャビネット（外装筺体）と、開口部よりもやや大形に形成されるとともに外装筺体における開口部の口縁部とその外縁部とが互いに対向するように外装筺体の前面側に取り付けられてその背面側から投射された画像表示用の投射光を受光して画像を表示するスクリーンパネル（透過型スクリーン）と、外装筺体内に配設されて投射光を投射するプロジェクタユニット（画像投射装置）とを備える。
そして、透過型スクリーンは、押さえ金具と口縁部とで防塵性を有する弾性体部材を介して外縁部が挟持されて外装筺体に取り付けられている。
【０００３】
【特許文献１】特開２００４−２８７２０７号公報
【発明の開示】
【発明が解決しようとする課題】
【０００４】
ところで、透過型スクリーンとしては、一般的に、フレネルレンズシートおよびレンチキュラーレンズシート等の部材で構成され、各構成部材を重ねた層状構造を有している。そして、近年では、フレネルレンズシートおよびレンチキュラーレンズシートをそれぞれ側方から見て背面側または前面側に凸となる円弧形状を有するように成形加工し、フレネルレンズシートおよびレンチキュラーレンズシートを重ね合わせることで、フレネルレンズシートおよびレンチキュラーレンズシート間の密着性を向上させている。このような構成では、透過型スクリーンには、初期的な湾曲が生じている。
また、透過型スクリーンは、上述した初期的な湾曲の他、近年のリアプロジェクタの大画面化により大型化が促進され、透過型スクリーン自体の自重により、リアプロジェクタの長期間の使用とともに透過型スクリーンが座屈して上記同様の湾曲（物理的変形）が生じやすい。
【０００５】
特許文献１に記載のリアプロジェクタでは、透過型スクリーンと当接する弾性体部材および押さえ金具の配置位置は、透過型スクリーンを側方から見た場合に、上下方向に略同一位置となるように設定されている。
このため、特許文献１に記載のリアプロジェクタに、上述した初期的な湾曲を有する透過型スクリーンを採用した場合には、透過型スクリーンの湾曲を平らな状態に補正することが難しい。また、特許文献１に記載のリアプロジェクタでは、上述した透過型スクリーンの物理的変形を回避することも難しい。
このように透過型スクリーンに初期的な湾曲が生じている場合や、物理的変形が生じた場合には、投影された投影画像が透過型スクリーンの形状に応じて歪んでしまい、利用者に投影画像を良好に観賞させることができない。
【０００６】
本発明の目的は、透過型スクリーンの初期的な湾曲を補正でき、かつ透過型スクリーンの物理的変形を回避でき、投影画像を良好に表示できるリアプロジェクタを提供することにある。
【課題を解決するための手段】
【０００７】
本発明のリアプロジェクタは、光源から射出された光束を画像情報に応じて変調して画像光を形成し前記画像光を拡大投射する画像投射装置と、前記画像投射装置を収納する箱形状を有し前面側に開口部が形成された外装筐体と、前記開口部を介して露出し背面側から投射された前記画像光を前面側に投影する透過型スクリーンとを備えたリアプロジェクタであって、前記外装筺体の前記開口部周縁部分には、前記透過型スクリーンの外縁部の少なくとも一部を挟むように前記外縁部の前面側および背面側にそれぞれ対向配置される第１支持部および第２支持部と、前記第１支持部および前記透過型スクリーンの間に介在配置され前記透過型スクリーンの前面側に当接する第１当接部と、前記第２支持部および前記透過型スクリーンの間に介在配置され前記透過型スクリーンの背面側に当接する第２当接部とが設けられ、前記第１当接部および前記第２当接部は、当該リアプロジェクタを組み立てた状態で前記透過型スクリーンを側方から見た場合に、前記透過型スクリーンの上下方向に互いにずれた位置にそれぞれ配置されていることを特徴とする。
【０００８】
ここで、第１支持部および第２支持部は、透過型スクリーンの外縁部の少なくとも一部を挟むように構成されていればよく、透過型スクリーンの外縁部の一部のみを挟むように構成してもよいし、透過型スクリーンの外縁部全体を挟むように略枠状に構成してもよい。
また、第１当接部および第２当接部は、透過型スクリーンを側方から見た場合に透過型スクリーンの上下方向に互いにずれた位置にそれぞれ配置されていればよく、透過型スクリーンを前面側または背面側から見た場合に該透過型スクリーンの左右方向にずれた位置にそれぞれ配置されていてもよく、あるいは、該透過型スクリーンの左右方向に同一位置となるようにそれぞれ配置されていてもよい。
【０００９】
本発明によれば、第１支持部および第２支持部の間に第１当接部および第２当接部を介して透過型スクリーンを配置した状態で第１支持部および第２支持部の間隔を縮めるように第１支持部および第２支持部の相対位置を変更することで、第１当接部および第２当接部のうち透過型スクリーンの上下方向の略中央部分に離間する側に配置される一方の当接部を支点として、透過型スクリーンの上下方向の略中央部分に近接する側に配置される他方の当接部にて透過型スクリーンの上下方向の略中央部分に近接する側を所定の力で押圧することができる。
このため、透過型スクリーンを側方から見て背面側または前面側に凸となる円弧形状を有するように透過型スクリーンに初期的な湾曲が生じている場合であっても、透過型スクリーンを平らな状態に補正することが可能となる。
また、上述したように第１当接部および第２当接部にて押圧支持することで、リアプロジェクタを長期間使用した場合であっても、透過型スクリーンの座屈による物理的変形を制限できる。
したがって、透過型スクリーンの初期的な湾曲や、透過型スクリーンの物理的変形により透過型スクリーンに投影された投影画像が歪むことを回避でき、投影画像を良好に表示できる。
【００１０】
本発明のリアプロジェクタでは、前記第１当接部は、当該リアプロジェクタを組み立てた状態で前記透過型スクリーンを側方から見た場合に、前記第２当接部に対して、前記透過型スクリーンの上下方向略中心部分から離間する側に配置されていることが好ましい。
本発明によれば、第１支持部および第２支持部の間に第１当接部および第２当接部を介して透過型スクリーンを配置した状態で第１支持部および第２支持部の間隔を縮めるように第１支持部および第２支持部の相対位置を変更することで、第１当接部および第２当接部のうち透過型スクリーンの上下方向の略中央部分に離間する側に配置される第１当接部を支点として、透過型スクリーンの上下方向の略中央部分に近接する側に配置される第２当接部にて透過型スクリーンの上下方向の略中央部分に近接する側を所定の力で押圧することができる。
このため、背面側に凸となる円弧形状を有するように透過型スクリーンに初期的な湾曲が生じている場合であっても、第１当接部を支点として第２当接部にて透過型スクリーンの円弧形状の凸部に近接する側を前面側に向けて所定の力で押圧して透過型スクリーンを平らな状態に補正できる。
また、上述したように第１当接部および第２当接部にて押圧支持することで、リアプロジェクタを長期間使用した場合であっても、透過型スクリーンの背面側に凸となる座屈を制限できる。
【００１１】
本発明のリアプロジェクタでは、前記透過型スクリーンは、該透過型スクリーンを側方から見た場合に上下方向略中央部分が上下方向両端部に対して背面側にずれ前記背面側に凸となる円弧形状を有するように形成されていることが好ましい。
ここで、透過型スクリーンとしては、例えば、フレネルレンズシートおよびレンチキュラーレンズシート等の部材を採用でき、各構成部材を重ねた層状構造を採用できる。また、透過型スクリーンの形成方法としては、例えば、フレネルレンズシートおよびレンチキュラーレンズシートをそれぞれ側方から見て背面側に凸となる円弧形状を有するように成形加工し、フレネルレンズシートおよびレンチキュラーレンズシートを重ね合わせる形成方法を採用できる。
本発明によれば、透過型スクリーンを上述した構成とし、かつ上述した形成方法で形成すれば、フレネルレンズシートおよびレンチキュラーレンズシートの密着性を向上させ、焦点ぼけ等に起因する投影画像の画質の低下を回避できる。
また、第１当接部が、第２当接部に対して透過型スクリーンの上下方向略中央部分から離間する側に配置された構成に、上述した透過型スクリーンを採用することで、背面側に凸となる円弧形状を有するように初期的な湾曲が生じている上述した透過型スクリーンを平らな状態に確実に補正できる。
【００１２】
本発明のリアプロジェクタでは、前記第１当接部は、当該リアプロジェクタを組み立てた状態で前記透過型スクリーンを側方から見た場合に、前記第２当接部に対して、前記透過型スクリーンの上下方向略中心位置に近接する側に配置されていることが好ましい。
本発明によれば、第１支持部および第２支持部の間に第１当接部および第２当接部を介して透過型スクリーンを配置した状態で第１支持部および第２支持部の間隔を縮めるように第１支持部および第２支持部の相対位置を変更することで、第１当接部および第２当接部のうち透過型スクリーンの上下方向の略中央部分に離間する側に配置される第２当接部を支点として、透過型スクリーンの上下方向の略中央部分に近接する側に配置される第１当接部にて透過型スクリーンの上下方向の略中央部分に近接する側を所定の力で押圧することができる。
このため、前面側に凸となる円弧形状を有するように透過型スクリーンに初期的な湾曲が生じている場合であっても、第２当接部を支点として第１当接部にて透過型スクリーンの円弧形状の凸部に近接する側を背面側に向けて所定の力で押圧して透過型スクリーンを平らな状態に補正できる。
また、上述したように第１当接部および第２当接部にて押圧支持することで、リアプロジェクタを長期間使用した場合であっても、透過型スクリーンの前面側に凸となる座屈を制限できる。
【００１３】
本発明のリアプロジェクタでは、前記透過型スクリーンは、該透過型スクリーンを側方から見た場合に上下方向略中央部分が上下方向両端部に対して前面側にずれ前記前面側に凸となる円弧形状を有するように形成されていることが好ましい。
ここで、透過型スクリーンとしては、例えば、フレネルレンズシートおよびレンチキュラーレンズシート等の部材を採用でき、各構成部材を重ねた層状構造を採用できる。また、透過型スクリーンの形成方法としては、例えば、フレネルレンズシートおよびレンチキュラーレンズシートをそれぞれ側方から見て前面側に凸となる円弧形状を有するように成形加工し、フレネルレンズシートおよびレンチキュラーレンズシートを重ね合わせる形成方法を採用できる。
本発明によれば、透過型スクリーンを上述した構成とし、かつ上述した形成方法で形成すれば、フレネルレンズシートおよびレンチキュラーレンズシートの密着性を向上させ、焦点ぼけ等に起因する投影画像の画質の低下を回避できる。
また、第１当接部が、第２当接部に対して透過型スクリーンの上下方向略中央部分から近接する側に配置された構成に、上述した透過型スクリーンを採用することで、前面側に凸となる円弧形状を有するように初期的な湾曲が生じている上述した透過型スクリーンを平らな状態に確実に補正できる。
【発明を実施するための最良の形態】
【００１４】
[第１実施形態]
以下、本発明の実施の一形態を図面に基づいて説明する。
〔リアプロジェクタの主な構成〕
図１は、第１実施形態におけるリアプロジェクタ１の側面からの断面図である。
リアプロジェクタ１は、図１に示すように、外装筺体としてのキャビネット２と、画像投射装置としてのプロジェクタユニット３と、制御ユニット４と、反射ミラー５と、透過型スクリーン６とにより大略構成されている。
【００１５】
キャビネット２は、図１に示すように、背面側（図１中、右側）が傾斜した箱形に構成され、内部にプロジェクタユニット３、制御ユニット４、および反射ミラー５を収納配置する。なお、具体的な図示は省略するが、キャビネット２内部には、プロジェクタユニット３、制御ユニット４、および反射ミラー５の他、リアプロジェクタ１の各構成部材に電力を供給する電源ユニット、および、リアプロジェクタ１内部を冷却する冷却ユニット、音声を出力する音声出力部等が配設される。
また、このキャビネット２の前面側（図１中、左側）には、図１に示すように、平面視矩形状の開口部２１が形成され、開口部２１周縁に透過型スクリーン６が支持固定される。
なお、透過型スクリーン６の詳細な支持構造については、後述する。
【００１６】
プロジェクタユニット３は、図１に示すように、キャビネット２内の底面に配設され、制御ユニット４から出力された画像信号に基づいて画像光Ｌを形成して反射ミラー５に向けて拡大投射する。このプロジェクタユニット３は、具体的な図示は省略するが、例えば、光源ランプと、光源ランプから射出された光束を画像信号に基づいて変調して画像光Ｌを形成する光変調装置（例えば、液晶パネル、入射側偏光板および射出側偏光板を備えた液晶ライトバルブ等）と、画像光Ｌを拡大投射する投射レンズ等を備えて構成されている。
【００１７】
制御ユニット４は、具体的な図示は省略するが、例えば、チューナ、ＩＦ回路、音声検波回路、映像検波回路、増幅回路、およびＣＰＵ等を備えて構成され、プロジェクタユニット３を統括的に制御する。また、制御ユニット４は、例えば、リモートコントローラ（図示略）の操作によって選択されたチャンネルに対応する周波数の放送信号を抽出して、画像信号をプロジェクタユニット３に出力するとともに音声信号を音声出力部（図示略）に出力する。
【００１８】
反射ミラー５は、図１に示すように、キャビネット２内の上部の背面側に配設され、プロジェクタユニット３によって投射された画像光Ｌを透過型スクリーン６の背面側に反射する。
【００１９】
透過型スクリーン６は、図１に示すように、矩形形状を有し、キャビネット２の開口部２１周縁に支持固定される。この透過型スクリーン６は、図１に示すように、背面側に配設されるフレネルレンズシート６１と、前面側に配設されるレンチキュラーレンズシート６２とにより構成されている。そして、透過型スクリーン６は、反射ミラー５を介して入射した画像光Ｌをフレネルレンズシート６１にて平行光に変換し、前記平行光をレンチキュラーレンズシート６２にて拡大（拡散）光に変換して、画像光を背面側から前面側に投影して投影画像を表示する。
【００２０】
この透過型スクリーン６は、フレネルレンズシート６１およびレンチキュラーレンズシート６２間の密着性を向上させるために、以下に示すように形成されている。
先ず、フレネルレンズシート６１を、該フレネルレンズシート６１の上下方向略中央部分が上下方向両端部分に対して背面側（画像光Ｌの入射側）にずれ、左右の側方から見た場合に背面側に凸となる円弧形状を有するように、合成樹脂材料を用いて射出成形により形成する。
また、レンチキュラーレンズシート６２も上記フレネルレンズシート６１と同様に、左右の側方から見た場合に背面側に凸となる円弧形状を有するように、合成樹脂材料を用いて射出成形により形成する。
そして、上記形成したフレネルレンズシート６１およびレンチキュラーレンズシート６２を重ね合わせることで透過型スクリーン６が形成される。
すなわち、透過型スクリーン６は、左右の側方から見た場合に背面側に凸となる円弧形状を有するように、初期的な湾曲を有している。
【００２１】
〔透過型スクリーンの支持構造〕
図２および図３は、透過型スクリーン６の支持構造を示す図である。具体的に、図２は、図１における透過型スクリーン６の上方側の支持構造を拡大した図である。図３は、透過型スクリーン６の支持構造を背面側から見た分解斜視図である。
透過型スクリーン６は、図１ないし図３に示すように、キャビネット２と、第２支持部としての押さえ金具７２と、第１当接部としての第１シール部材７３と、第２当接部としての第２シール部材７４とによりキャビネット２の開口部２１周縁に支持固定される。
【００２２】
開口部２１の周縁部分は、図１ないし図３に示すように、透過型スクリーン６の外形形状よりも開口部２１の外形形状が小さくなるように、開口部２１の略中心に向けて延出形成されている。そして、この延出部分は、図１ないし図３に示すように、リアプロジェクタ１を組み立てた状態で、透過型スクリーン６の前面側（レンチキュラーレンズシート６２）の外縁部に対向し、透過型スクリーン６の前面側を支持する第１支持部７１として機能する。
また、第１支持部７１の背面側には、図１ないし図３に示すように、背面側に突出し、リアプロジェクタ１を組み立てた状態で、透過型スクリーン６を囲う平面視矩形枠状の金具取付部７５が形成されている。
【００２３】
この金具取付部７５は、押さえ金具７２を固定する部分であり、突出方向先端部分には、図３に示すように、押さえ金具７２を固定するための複数の固定用孔７５１が形成されている。本実施形態では、固定用孔７５１は、図３に示すように、金具取付部７５における平面視矩形枠状の上方側部分に５つ、下方側部分に５つ、左側部分に５つ、右側部分に５つ形成されている。なお、固定用孔７５１は、上述した数に限らず、その他の数だけ形成された構成を採用しても構わない。
また、この金具取付部７５において、平面視矩形枠状の下方側部分の上面には、リアプロジェクタ１を組み立てた状態で、透過型スクリーン６が載置され、該上面が載置面７５２（図１、図３）として機能する。
【００２４】
押さえ金具７２は、金具取付部７５に取り付けられ、透過型スクリーン６を背面側から第１支持部７１に向けて押圧する部材である。この押さえ金具７２は、図３に示すように、金具取付部７５における平面視矩形枠状の各端縁にそれぞれ取り付けられる４つの押さえ金具７２Ａ，７２Ｂ，７２Ｃ，７２Ｄで構成されている。
押さえ金具７２Ａは、図２または図３に示すように、矩形形状の板体７２１と、板体７２１の短辺方向両端部から面外方向に互いに異なる方向に略平行して延出する一対の延出部７２２Ａ，７２２Ｂとで構成され、断面略クランク形状を有する。
【００２５】
この押さえ金具７２Ａにおいて、一対の延出部７２２Ａ，７２２Ｂのうち一方の延出部７２２Ａには、図３に示すように、金具取付部７５における平面視矩形枠状の上方側部分に形成された固定用孔７５１に対応して固定用孔７２３（本実施形態では、５つ）が形成されている。そして、押さえ金具７２Ａの固定用孔７２３にねじ７６（図１、図２）を挿通し、該ねじ７６を金具取付部７５の固定用孔７５１に螺合することで、押さえ金具７２Ａが金具取付部７５に固定される。この際、延出部７２２Ｂは、金具取付部７５における平面視矩形枠状の内側に位置するとともに、延出部７２２Ａに対して前面側に位置し、透過型スクリーン６の背面側の外縁部を第１支持部７１に向けて押圧する。
なお、他の押さえ金具７２Ｂ，７２Ｃ，７２Ｄは、図３に示すように、上述した押さえ金具７２Ａと略同様の形状を有し、押さえ金具７２Ａと同様に、板体７２１、一対の延出部７２２Ａ，７２２Ｂ、および固定用孔７２３（本実施形態では、それぞれ５つ）を有する。
【００２６】
第１シール部材７３は、図１ないし図３に示すように、第１支持部７１の背面側と透過型スクリーン６の前面側との間に介在配置され、プラスチック部材、例えばＡＢＳ樹脂等の合成樹脂の成型品で構成されている。この第１シール部材７３は、図３に示すように、第１支持部７１における背面側の上方側部分、下方側部分、左側部分、および右側部分にそれぞれ配置される４つの第１シール部材７３Ａ，７３Ｂ，７３Ｃ，７３Ｄで構成されている。
【００２７】
第１シール部材７３Ａは、図１ないし図３に示すように、断面視矩形形状を有し、リアプロジェクタ１を組み立てた状態で、第１支持部７１における背面側の上方側部分に、接着剤、あるいは、両面テープ等により接着固定される。
なお、他の第１シール部材７３Ｂ，７３Ｃ，７３Ｄは、図３に示すように、上述した第１シール部材７３Ａと略同様の形状を有し、第１シール部材７３Ａと同様に、第１支持部７１における背面側の下方側部分、左側部分、および右側部分にそれぞれ接着固定される。
そして、第１シール部材７３Ａ，７３Ｂ，７３Ｃ，７３Ｄを第１支持部７１に接着固定した状態では、第１シール部材７３Ａ，７３Ｂ，７３Ｃ，７３Ｄの隣接する各端部が接続し平面視矩形枠状に配置される。また、第１シール部材７３は、リアプロジェクタ１を組み立てた状態では、押さえ金具７２による透過型スクリーン６の押圧により、透過型スクリーン６にて第１支持部７１に押し付けられ、透過型スクリーン６の前面側の外縁部に密着する。
【００２８】
第２シール部材７４は、図１ないし図３に示すように、押さえ金具７２（延出部７２２Ｂ）と透過型スクリーン６の背面側との間に介在配置され、第１シール部材７３と同様に、プラスチック部材で構成されている。この第２シール部材７４は、図３に示すように、押さえ金具７２Ａ，７２Ｂ，７２Ｃ，７２Ｄの各延出部７２２Ｂにそれぞれ配置される４つの第２シール部材７４Ａ，７４Ｂ，７４Ｃ，７４Ｄで構成されている。
【００２９】
第２シール部材７４Ａは、図１ないし図３に示すように、断面視矩形形状を有し、リアプロジェクタ１を組み立てた状態で、押さえ金具７２Ａの延出部７２２Ｂに、接着剤、あるいは、両面テープ等により接着固定される。
なお、他の第２シール部材７４Ｂ，７４Ｃ，７４Ｄは、図３に示すように、上述した第２シール部材７４Ａと略同様の形状を有し、第２シール部材７４Ａと同様に、各押さえ金具７２Ｂ，７２Ｃ，７２Ｄの各延出部７２２Ｂにそれぞれ接着固定される。
そして、第２シール部材７４Ａ，７４Ｂ，７４Ｃ，７４Ｄを各押さえ金具７２Ａ，７２Ｂ，７２Ｃ，７２Ｄに接着固定し、各押さえ金具７２Ａ，７２Ｂ，７２Ｃ，７２Ｄを金具取付部７５に取り付けた状態では、第２シール部材７４Ａ，７４Ｂ，７４Ｃ，７４Ｄの隣接する各端部が接続し平面視矩形枠状に配置される。また、第２シール部材７４は、リアプロジェクタ１を組み立てた状態では、押さえ金具７２にて透過型スクリーン６に押し付けられ、透過型スクリーン６の背面側の外縁部に密着する。
【００３０】
図４は、第１シール部材７３および第２シール部材７４の配置位置を模式的に示す図である。具体的に、図４は、透過型スクリーン６における背面側から見た第１シール部材７３および第２シール部材７４の配置位置を示す平面図である。
そして、上述した第１シール部材７３および第２シール部材７４は、図４に示すように、各第１シール部材７３Ａ，７３Ｂ，７３Ｃ，７３Ｄの長さ寸法が、各第２シール部材７４Ａ，７４Ｂ，７４Ｃ，７４Ｄの長さ寸法よりも長く形成されている。このため、リアプロジェクタ１を組み立てた状態では、図４に示すように、第１シール部材７３における平面視矩形枠状の外形寸法が、第２シール部材７４における平面視矩形枠状の外形寸法よりも大きく形成され、第２シール部材７４が第１シール部材７３に対して透過型スクリーン６の略中心位置Ｏ側にずれた位置に配置される。
【００３１】
上述した第１実施形態では、第１シール部材７３および第２シール部材７４のうち上方側に位置する第１シール部材７３Ａおよび第２シール部材７４Ａは、リアプロジェクタ１を組み立てた状態で、第１シール部材７３Ａが第２シール部材７４Ａに対して上方側にずれた位置に配置されている。また、第１シール部材７３および第２シール部材７４のうち下方側に位置する第１シール部材７３Ｂおよび第２シール部材７４Ｂは、リアプロジェクタ１を組み立てた状態で、第１シール部材７３Ｂが第２シール部材７４Ｂに対して下方側にずれた位置に配置されている。このことにより、金具取付部７５に押さえ金具７２を取り付けた状態では、第１シール部材７３Ａを支点として、第２シール部材７４Ａにて透過型スクリーン６の円弧形状の凸部に近接する側を前面側に向けて所定の力で押圧することができる。また、同様に、第１シール部材７３Ｂを支点として、第２シール部材７４Ｂにて透過型スクリーン６の円弧形状の凸部に近接する側を前面側に向けて所定の力で押圧することができる。
このため、左右の側方から見た場合に背面側に凸となる円弧形状の初期的な湾曲が生じている透過型スクリーン６を平らな状態に補正できる。
また、第１シール部材７３Ａ，７３Ｂおよび第２シール部材７４Ａ，７４Ｂにて押圧支持することで、リアプロジェクタ１を長期間使用した場合であっても、透過型スクリーン６の背面側に凸となる座屈を制限できる。
したがって、透過型スクリーン６の初期的な湾曲や、透過型スクリーン６の物理的変形により透過型スクリーン６に投影された投影画像が歪むことを回避でき、投影画像を良好に表示できる。透過型スクリーン６に初期的な湾曲が生じている場合や、透過型スクリーン６に物理的変形が生じた場合には、制御ユニット４の画像処理により投影画像のサイズを縮小した場合（例えば、アスペクト比が１６：９の透過型スクリーン６に対して表示される投影画像のアスペクト比を４：３とした場合等）には特に、投影画像の外縁にディストーションが生じやすいが、本実施形態によれば、上記の場合でも、投影画像の外縁にディストーションが生じることなく投影画像を良好に表示できる。
【００３２】
また、透過型スクリーン６は、フレネルレンズシート６１およびレンチキュラーレンズシート６２で構成され、上述した形成方法により形成されているので、フレネルレンズシート６１およびレンチキュラーレンズシート６２間の密着性を向上させ、焦点ぼけ等に起因する投影画像の画質の低下を回避できる。
【００３３】
ここで、第１支持部７１は、透過型スクリーン６の外縁部に沿って枠状に形成されている。また、押さえ金具７２は、第１支持部７１の背面側に形成された平面視矩形枠状の金具取付部７５の各端縁にそれぞれ取り付けられる４つの押さえ金具７２Ａ，７２Ｂ，７２Ｃ，７２Ｄで枠状に構成されている。そして、第１シール部材７３および第２シール部材７４は、第１シール部材７３Ａ，７３Ｂおよび第２シール部材７４Ａ，７４Ｂの他、透過型スクリーン６の左右側にそれぞれ配置される第１シール部材７３Ｃ，７３Ｄおよび第２シール部材７４Ｃ，７４Ｄを備えている。このことにより、透過型スクリーン６は、第１シール部材７３Ａ，７３Ｂおよび第２シール部材７４Ａ，７４Ｂにより押圧支持されるのみならず、第１シール部材７３Ｃ，７３Ｄおよび第２シール部材７４Ｃ，７４Ｄによっても押圧支持されるので、透過型スクリーン６の初期的な湾曲を効果的に補正でき、かつ透過型スクリーン６の物理的変形も効果的に制限できる。
【００３４】
また、リアプロジェクタ１を組み立てた状態では、第１シール部材７３は、第１シール部材７３Ａ，７３Ｂ，７３Ｃ，７３Ｄの隣接する各端部が接続し平面視矩形枠状に配置される。第２シール部材７４も同様に、第２シール部材７４Ａ，７４Ｂ，７４Ｃ，７４Ｄの隣接する各端部が接続し平面視矩形枠状に配置される。このことにより、第１シール部材７３および第２シール部材７４にてキャビネット２と透過型スクリーン６との間の隙間を閉塞でき、開口部２１を介してキャビネット２内部に塵埃等の異物が侵入することを防止できる。このため、透過型スクリーン６の背面側や、プロジェクタユニット３に塵埃等の異物が付着することを回避でき、投影画像を良好に表示できる。
【００３５】
ところで、透過型スクリーン６は、一般的に、画像光Ｌの投射による温度上昇に応じて熱膨張し、上下方向および左右方向に伸長する。
本実施形態では、第１シール部材７３は、第１支持部７１における背面側に接着固定される。また、第２シール部材７４は、押さえ金具７２の延出部７２２Ｂに接着固定される。すなわち、リアプロジェクタ１を組み立てた状態では、第１シール部材７３および第２シール部材７４は、透過型スクリーン６に密着した状態となり、透過型スクリーン６に固定された状態ではない。このことにより、透過型スクリーン６が熱膨張した場合には、第１シール部材７３および第２シール部材７４上を滑るように透過型スクリーン６を伸長させることができる。このため、透過型スクリーン６の膨張時においても、伸長を妨げて透過型スクリーン６に歪みを生じさせることがなく、投影画像を良好に表示できる。
【００３６】
ここで、第１シール部材７３および第２シール部材７４は、プラスチック部材で構成されているので、例えば、発泡性樹脂等の弾性部材で構成した場合と比較して、大きい強度を確保でき、透過型スクリーン６を支持した状態（押さえ金具７２により透過型スクリーン６を押圧した状態）でも、第１シール部材７３および第２シール部材７４が撓むことがない。このため、透過型スクリーン６に外力が加わった場合であっても、透過型スクリーン６の位置がずれるという不具合が生じることを防止でき、透過型スクリーン６の保持状態を良好に維持できる。
【００３７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図５は、第２実施形態における透過型スクリーン６Ａの支持構造を示す図である。
本実施形態では、図５に示すように、前記第１実施形態と異なる形成方法にて形成した透過型スクリーン６Ａを用いる。また、本実施形態では、図５に示すように、前記第１実施形態に対して、透過型スクリーン６Ａの支持構造が異なる。透過型スクリーン６Ａを用いる点、および透過型スクリーン６Ａの支持構造が異なる点以外は、前記第１実施形態と同様のものである。
【００３８】
〔透過型スクリーンの構造〕
本実施形態における透過型スクリーン６Ａは、前記第１実施形態で説明した透過型スクリーン６と同様の構成を有し、フレネルレンズシート６１Ａおよびレンチキュラーレンズシート６２Ａとで構成される。そして、透過型スクリーン６Ａは、フレネルレンズシート６１Ａおよびレンチキュラーレンズシート６２Ａ間の密着性を向上させるために、以下に示すように形成されている。
先ず、フレネルレンズシート６１Ａを、該フレネルレンズシート６１Ａの上下方向略中央部分が上下方向両端部分に対して前面側（画像光Ｌの射出側）にずれ、左右の側方から見た場合に前面側に凸となる円弧形状を有するように、合成樹脂材料を用いて射出成形により形成する。
また、レンチキュラーレンズシート６２Ａも上記フレネルレンズシート６１と同様に、左右の側方から見た場合に前面側に凸となる円弧形状を有するように、合成樹脂材料を用いて射出成形により形成する。
そして、上記形成したフレネルレンズシート６１Ａおよびレンチキュラーレンズシート６２Ａを重ね合わせることで透過型スクリーン６Ａが形成される。
すなわち、本実施形態における透過型スクリーン６Ａは、前記第１実施形態で説明した透過型スクリーン６とは逆に、左右の側方から見た場合に前面側に凸となる円弧形状を有するように、初期的な湾曲を有している。
【００３９】
〔透過型スクリーンの支持構造〕
図６は、第２実施形態における第１当接部としての第１シール部材８３および第２当接部としての第２シール部材８４の配置位置を模式的に示す図である。具体的に、図６は、透過型スクリーン６Ａにおける背面側から見た第１シール部材８３および第２シール部材８４の配置位置を示す平面図である。
本実施形態における透過型スクリーン６Ａの支持構造は、前記第１実施形態で説明した透過型スクリーン６の支持構造に対して、第１シール部材７３および第２シール部材７４に対応する第１シール部材８３および第２シール部材８４の配置位置、すなわち長さ寸法が異なるのみであり、その他の構造は、前記第１実施形態と同様のものである。
第１シール部材８３および第２シール部材８４は、前記第１実施形態で説明した第１シール部材７３および第２シール部材７４とは逆に、図６に示すように、各第１シール部材８３Ａ，８３Ｂ，８３Ｃ，８３Ｄの長さ寸法が、各第２シール部材８４Ａ，８４Ｂ，８４Ｃ，８４Ｄの長さ寸法よりも短く形成されている。このため、リアプロジェクタ１を組み立てた状態では、図６に示すように、第１シール部材８３における平面視矩形枠状の外形寸法が、第２シール部材８４における平面視矩形枠状の外形寸法よりも小さく形成され、第１シール部材８３が第２シール部材８４に対して透過型スクリーン６Ａの略中心位置Ｏ側にずれた位置に配置される。
【００４０】
上述した第２実施形態においては、透過型スクリーン６Ａが左右の側方から見た場合に前面側に凸となる円弧形状の初期的な湾曲が生じている場合であっても、第１シール部材８３および第２シール部材８４の配置位置、すなわち長さ寸法を上述したように構成することで、前記第１実施形態と同様の効果を享受できる。
【００４１】
なお、本発明は前述の実施形態に限定されるものではなく、本発明の目的を達成できる範囲での変形、改良等は本発明に含まれるものである。
前記各実施形態では、押さえ金具７２は、押さえ金具７２Ａ，７２Ｂ，７２Ｃ，７２Ｄの４つで構成されていたが、これに限らない。
例えば、押さえ金具７２Ａ，７２Ｂ，７２Ｃ，７２Ｄを一体化し、押さえ金具７２を１つで構成しても構わない。第１シール部材７３，８３および第２シール部材７４，８４も同様である。
また、例えば、押さえ金具７２Ｃ，７２Ｄを省略し、押さえ金具７２を２つで構成しても構わない。第１シール部材７３，８３および第２シール部材７４，８４も同様である。
さらに、例えば、押さえ金具７２Ａ，７２Ｂ，７２Ｃ，７２Ｄをそれぞれ分割し、押え金具７２を４つ以上で構成しても構わない。第１シール部材７３，８３および第２シール部材７４，８４も同様である。
【００４２】
前記各実施形態では、第１支持部７１および押さえ金具７２は、透過型スクリーン６，６Ａの外縁部全体を挟むようにそれぞれ略枠状に構成されていたが、透過型スクリーン６，６Ａの外縁部の少なくとも一部を挟むように構成されていればよく、例えば、上述したように押さえ金具７２Ｃ，７２Ｄを省略して透過型スクリーン６，６Ａの外縁部の一部を挟むように構成しても構わない。
【００４３】
前記各実施形態において、第１シール部材７３，８３および第２シール部材７４，８４は、透過型スクリーン６，６Ａを側方から見た場合に透過型スクリーン６，６Ａの上下方向に互いにずれた位置にそれぞれ配置されていればよく、透過型スクリーン６，６Ａを前面側または背面側から見た場合に該透過型スクリーン６，６Ａの左右方向にずれた位置にそれぞれ配置されていてもよく、あるいは、該透過型スクリーン６，６Ａの左右方向に同一位置となるようにそれぞれ配置されていてもよい。
例えば、前記各実施形態において、第１シール部材７３Ａ，７３Ｂ，８３Ａ，８３Ｂの略中央部分を省略し、第２シール部材７４Ａ，７４Ｂ，８４Ａ，８４Ｂの左右両端部分を省略し、これら第１シール部材および第２シール部材を、透過型スクリーン６を前面側または背面側から見た場合に透過型スクリーン６の左右方向にずれた位置にそれぞれ配置する構成を採用しても構わない。
また、例えば、前記各実施形態において、第１シール部材７３Ａ，７３Ｂ，８３Ａ，８３Ｂおよび第２シール部材７４Ａ，７４Ｂ，８４Ａ，８４Ｂを省略する。そして、第１シール部材７３Ｃ，７３Ｄおよび第２シール部材８４Ｃ，８４Ｄの略中央部分を省略し、第２シール部材７４Ｃ，７４Ｄおよび第１シール部材８３Ｃ，８３Ｄの上下両端部分を省略した構成を採用しても構わない。
【００４４】
前記各実施形態では、第１シール部材７３，８３および第２シール部材７４，８４をプラスチック部材で構成していたが、これらシール部材７３，７４，８３，８４の材質はこれに限らず、独立気泡型の発泡スポンジ、スポンジ以外の独立気泡型の発泡性樹脂や連続気泡型の発泡性樹脂、およびゴム等の弾性部材で構成しても構わない。第１シール部材７３，８３および第２シール部材７４，８４を弾性部材で構成すれば、透過型スクリーン６，６Ａを押圧支持した場合、および透過型スクリーン６，６Ａが熱膨張により伸長した場合において、透過型スクリーン６，６Ａの表面が傷付くことを確実に防止できる。
前記各実施形態において、押さえ金具７２、第１シール部材７３，８３、および第２シール部材７４，８４の形状は、前記各実施形態で説明した形状に限らない。
例えば、第１シール部材７３，８３および第２シール部材７４，８４は、断面視矩形状で構成されていたが、これに限らず、断面視円形状、断面視楕円形状、あるいは、中空のパイプ状に形成しても構わない。
【００４５】
前記各実施形態では、リアプロジェクタ１が制御ユニット４を備えた構成を説明したが、これに限らず、外部装置から入力した画像信号に基づく画像のみを表示するリアプロジェクションモニタとして構成しても構わない。また、音声出力部をキャビネット２の外部に別体に構成することもできるし、音声出力部を備えずに画像の表示のみを行う構成を採用することもできる。
【００４６】
前記各実施形態において、プロジェクタユニット３を構成する光変調装置としては、透過型の液晶ライトバルブや反射型の液晶ライトバルブの他、ディジタル・マイクロミラー・デバイス（テキサス・インスツルメント社の商標）を採用してもよい。
【００４７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００４８】
本発明は、透過型スクリーンの初期的な湾曲を補正でき、かつ透過型スクリーンの物理的変形を回避でき、投影画像を良好に表示できるため、ホームシアタ等に用いられるリアプロジェクタとして利用できる。
【図面の簡単な説明】
【００４９】
【図１】第１実施形態におけるリアプロジェクタの側面からの断面図。
【図２】前記実施形態における透過型スクリーンの支持構造を示す図。
【図３】前記実施形態における透過型スクリーンの支持構造を示す図。
【図４】前記実施形態における第１シール部材および第２シール部材の配置位置を模式的に示す図。
【図５】第２実施形態における透過型スクリーンの支持構造を示す図。
【図６】前記実施形態における第１当接部としての第１シール部材および第２当接部としての第２シール部材の配置位置を模式的に示す図。
【符号の説明】
【００５０】
１・・・リアプロジェクタ、２・・・キャビネット（外装筺体）、３・・・プロジェクタユニット（画像投射装置）、６，６Ａ・・・透過型スクリーン、２１・・・開口部、７１・・・第１支持部、７２・・・押さえ金具（第２支持部）、７３，８３・・・第１シール部材（第１当接部）、７４，８４・・・第２シール部材（第２当接部）。
【図１】
2007102171.tif 000003
【図２】
2007102171.tif 000004
【図３】
2007102171.tif 000005
【図４】
2007102171.tif 000006
【図５】
2007102171.tif 000007
【図６】
2007102171.tif 000008